(57)【要約】      （修正有）【課題】テレスコピックカバー個々の傾きを防止し、優れた直進安定性を確保することができす複数同時駆動連鎖装置を提供する。【解決手段】テレスコピックカバーの、各ボックス間を連結する複数同時駆動連鎖装置Ａは、矩形平面の金属製板材から成る連鎖装置Ｂと連鎖装置Ｃを、矩形平面の金属製板材から成る連結プレートＤを用いて連鎖装置Ｂのサイド軸穴ＢＰ２と連鎖装置Ｃのサイド軸穴ＣＰ１を係止することにより連結する。【選択図】図３
0003174710.tif 000002
【実用新案登録請求の範囲】
【請求項１】
産業機械の摺動面保護カバーでマシニング等による切粉、切削水等の飛散を防御する目的の互いにはめ込まれた複数のボックスから成るテレスコピックカバーに於いて、各ボックス間を連結する複数同時駆動連鎖装置に於いて、所要の長さに加工された矩形平面の金属製板材から成るプレートのセンター部にセンター軸穴BP1、両サイド部にサイド軸穴BP2の３つの軸穴を設けたプレートB1を少なくとも２枚重ね、その重ねたプレートのセンター軸穴BP1を貫通する金属製センターピンで係止してなる部品を複数個組立、それぞれの重ねたプレートのセンター軸穴BP1を支点にX字形に広げ、前記組立部品の相隣り合う両先端部を重ね、その重ねたサイド軸穴BP2を貫通するサイドピンで係止してなる連鎖装置Bと、所要の長さに加工された矩形平面の金属製板材から成るプレートの両サイド部にサイド軸穴CP1を設けたプレートC1を少なくとも２枚重ね、その重ねたプレートのサイド軸穴CP1を貫通する金属製サイドピンで係止してなる部品を組立、それぞれの重ねたプレートをく字形に広げ前記組立部品の相隣り合う両先端部を重ね、その重ねたサイド軸穴CP1を貫通するサイドピンで係止してなる連鎖装置Cを、所要の長さに加工された矩形平面の金属製板材から成るプレートの両サイド部にサイド軸穴DP1を設けた連結プレートDを用いて、連鎖装置Bのサイド軸穴BP2と連鎖装置Cのサイド軸穴CP1を係止する事により成る、連鎖装置Bと連鎖装置Cが同調駆動する事を特徴とする複数同時駆動連鎖装置A。
【請求項２】
前記、請求項1に於いて、連鎖装置Cを複数列配置し、その連鎖装置Cと前記連鎖装置Bを所要の長さに加工された矩形平面の金属製板材から成るプレートの両サイド部にサイド軸穴DP1を設けた連結プレートDを用いて連鎖装置Bのサイド軸穴BP2と複数列配置した連鎖装置Cのサイド軸穴CP1を係止して成る、連鎖装置Bと複数列配置した連鎖装置Cが同調駆動する事を特徴とする複数同時駆動連鎖装置E。
【考案の詳細な説明】
【技術分野】
【０００１】
本考案は、主として工作機械の保護カバー、その他一般産業機械の保護カバーとして活用するものに関する。
【背景技術】
【０００２】
従来、マシニング等に使用するテレスコピックカバー図1は、互いにはめ込まれた複数のボックスFから構成され、マシニング等の動きに追従し伸縮運動を行う。その為、それらのボックスFが抜けて外れない様、ボックスF先端部にはゴム弾性体又は金属或はそれらの複合からなるワイパーWを止着し、ボックスF端末部にはボックスFの荷重を支える為の摺動体或は転動体を設けるプレートPが設置されていた。テレスコピックカバー伸張過程に於いてワイパーWとプレートPが衝突し順次それぞれのボックスFを引っ張る構造となっていた。
【０００３】
その結果、衝突音及び衝撃による強度的な問題が発生していた。それらを緩和する為、一般的にはゴム弾性体等を設置し対策を講じていたが、更なる工作機械の高速化に対応するため、連鎖装置としてパンタグラフなるものが考案された。
実用新案番号  第３０４７８８３号及び第３０４９６８８号を本出願者は考案している。
【０００４】
連鎖装置は、テレスコピックカバーの大きさに応じて1列から複数列配置された。しかしながら現在の連鎖装置は、それぞれが独立している為、テレスコピックカバー個々に傾きが発生し、テレスコピックカバーの破損を発生させる要因にもなっており問題を有していた。
従来の連鎖装置平面図 図2。
【考案の開示】
【考案の効果】
【０００５】
本考案により、連鎖装置B及び連鎖装置Cを連結する連結プレートDの組み合わせにより複数の連鎖装置が同時に駆動しテレスコピックカバー個々の傾きを防止し、優れた直進安定性を確保する事が出来、社内試験に於いても優れた結果となった。
【考案が解決しようとする課題】
【０００６】
工作機械及びその他一般産業用機械は、高速化し、時代ニーズに対応すべく高速対応型はもとより低騒音で故障発生の少ない保護カバーの開発が必要であった。
【課題を解決するための手段】
【０００７】
かかる欠点を解消するため本考案者は鋭意改良を重ね、独立した複数の連鎖装置を連結する事で同時に駆動させ、テレスコピックカバーの蛇行を防止し、直進安定性を飛躍的に向上させる事で、問題を解決すると共に実用上優れた性能を発揮する複数同時駆動連鎖装置Aを開発した。
その内容について以下、図面に沿って説明する。
【実施例】
【０００８】
請求項１に記載の複数同時駆動連鎖装置Aの組付図を図3に示す。請求項２に記載の複数同時駆動連鎖装置Eの組付図を図4に示す。
【０００９】
請求項１に記載の互いにはめ込まれた複数のボックスから成るテレスコピックカバーに於いて、各ボックス間を連結する複数同時駆動連鎖装置Aは、所要の長さに加工された矩形平面の金属製板材から成る連鎖装置Bと所要の長さに加工された矩形平面の金属製板材から成る連鎖装置Cを所要の長さに加工された矩形平面の金属製板材から成る連結プレートDを用いて連鎖装置B及び連鎖装置Cを連結し、連鎖装置B及び連鎖装置Cが、同調駆動する事を特徴とする複数同時駆動連鎖装置A。
【００１０】
次に、請求項1の組立方法について図3により説明する。
連鎖装置B及び連鎖装置Cを連結プレートDを用いて構成される複数同時駆動連鎖装置Aに於いて各ボックスFに設けられた支点F1に、センター軸穴BP1及びサイド軸穴CP1を係止する。
【００１１】
次に、請求項2に記載の互いにはめ込まれた複数のボックスから成るテレスコピックカバーに於いて、各ボックス間を連結する複数同時駆動連鎖装置Aは、所要の長さに加工された矩形平面の金属製板材から成る連鎖装置Bと所要の長さに加工された矩形平面の金属製板材から成る連鎖装置Cを所要の長さに加工された矩形平面の金属製板材から成る連結プレートDを用いて連鎖装置B及び連鎖装置Cを連結し、連鎖装置B及び連鎖装置Cが、同調駆動する事を特徴とする複数同時駆動連鎖装置Aに於いて、連鎖装置Cを複数列配置し、その連鎖装置Cと前記連鎖装置Bを所要の長さに加工された矩形平面の金属製板材から成る連結プレートDを用いて連結し、連鎖装置Bと複数列配置した連鎖装置Cが同調駆動する事を特徴とする複数同時駆動連鎖装置Eの組付図を図4に示す。
【図面の簡単な説明】
【００１２】
【図１】テレスコピックカバー図
【図２】従来の連鎖装置平面図
【図３】複数同時駆動連鎖装置Aの組付図
【図４】複数同時駆動連鎖装置Eの組付図
【符号の説明】
【００１３】
A     複数同時駆動連鎖装置
B     連鎖装置
B1    3つの軸穴を設けたプレート
BP1  センター軸穴
BP2   サイド軸穴
C     連鎖装置
C1    サイド軸穴を設けたプレート
CP1  サイド軸穴
D     連結プレート
DP1  サイド軸穴
P     プレート
W     ワイパー
【図１】
0003174710.tif 000003
【図２】
0003174710.tif 000004
【図３】
0003174710.tif 000005
【図４】
0003174710.tif 000006